(57)【要約】【課題】複数の包装箱を安定して積み上げることを可能にする。【解決手段】包装箱１０は、第１から第４縁辺Ｌ１〜Ｌ４を有する第１面部１１と、第１面部１１から延びる第２および第３面部１２、１３と、第３面部１３から延び、第１０および第１１縁辺Ｌ１０、Ｌ１１を有する第４面部１４と、第２面部１２から延びる第１および第２内フラップ部２２１、２２２と、第３面部１３から延びる第３および第４内フラップ部２３１、２３２と、第３縁辺Ｌ３側に配置される第１外フラップ部３１１と、第４縁辺Ｌ４側に配置される第２外フラップ部３１２と、第１０縁辺Ｌ１０側に配置される第３外フラップ部３４１と、第１１縁辺Ｌ１１側に配置される第４外フラップ部３４２とを備え、第１および第３外フラップ部３１１、３４１は係合部を有し、第２および第４外フラップ部３１２、３４２は、係合部に対応する位置に配置され、係合部に対する相補形状を有する。【選択図】図１
2018154342.tif 000002
【特許請求の範囲】
【請求項１】
略直方体の形状を呈し、それぞれ対向する三対の面部を有する包装箱であって、
係合部を有する第１面状部材、および前記係合部に対する相補形状を有する第２面状部材、のいずれかを備え、
前記第１面状部材が前記三対の面部のうち一対の面部の一方と重なるように接着される場合、前記第２面状部材は、前記相補形状が前記係合部に対応する位置に形成されるように、前記包装箱と連結可能な他の包装箱が有する一対の面部の一方と重なるように接着されており、
前記第２面状部材が前記三対の面部のうち一対の面部の一方と重なるように接着される場合、前記第１面状部材は、前記係合部が前記相補形状の形成部分に対応する位置に配置されるように、前記他の包装箱が有する一対の面部の一方と重なるように接着されていることを特徴とする包装箱。
【請求項２】
略直方体の形状を呈し、それぞれ対向する三対の面部を有する包装箱であって、
係合部を有する第１面状部材と、
前記係合部に対する相補形状を有する第２面状部材と、を備え、
前記第１面状部材は、前記三対の面部のうち一対の面部の一方と重なるように接着され、
前記第２面状部材は、前記相補形状が前記係合部に対応する位置に形成されるように、前記一対の面部の一方と重なるように接着されることを特徴とする包装箱。
【請求項３】
略直方体の形状を呈し、それぞれ対向する三対の面部を有する包装箱であって、
第１面状部材、第２面状部材、第３面状部材、および第４面状部材を備え、
前記第１面状部材は、係合部を有し、前記三対の面部のうち一対の面部の一方と重なるように接着され、
前記第２面状部材は、前記係合部に対する相補形状を有し、前記一対の面部の他方と重なるように接着され、
前記第３面状部材は、係合部を有し、前記第３面状部材の前記係合部が前記相補形状の形成部分に対応する位置に配置されるように、前記一対の面部の他方と重なるように接着され、
前記第４面状部材は、前記係合部に対する相補形状を有し、前記第４面状部材が有する前記相補形状が前記係合部に対応する位置に形成されるように、前記一対の面部の一方と重なるように接着されることを特徴とする包装箱。
【請求項４】
相互に平行な第１縁辺および第２縁辺と、前記第１縁辺と直交する相互に平行な第３縁辺および第４縁辺と、を有する矩形の第１面部と、
前記第１縁辺と直交する相互に平行な第５縁辺および第６縁辺を有し、前記第１縁辺から延びて直角に折れ曲がる矩形の第２面部と、
前記第２縁辺と平行な第７縁辺と、前記第２縁辺と直交する相互に平行な第８縁辺および第９縁辺と、を有し、前記第２縁辺から延び、直角に折れ曲がって前記第２面部と対向する矩形の第３面部と、
前記第７縁辺と直交する相互に平行な第１０縁辺および第１１縁辺を有し、前記第７縁辺から延び、直角に折れ曲がって前記第１面部と対向する矩形の第４面部と、
前記第５縁辺から延びて直角に折れ曲がる第１内フラップ部と、
前記第６縁辺から延び、直角に折れ曲がって前記第１内フラップ部と対向する第２内フラップ部と、
前記第８縁辺から延びて直角に折れ曲がる第３内フラップ部と、
前記第９縁辺から延び、直角に折れ曲がって前記第３内フラップ部と対向する第４内フラップ部と、
前記第３縁辺側に配置され、前記第１内フラップ部および前記第４内フラップ部と重なるように接着される第１面状部材と、
前記第４縁辺側および前記第１０縁辺側のうち一方側に配置され、前記第２内フラップ部および前記第３内フラップ部と重なるように接着される第２面状部材と、
前記第４縁辺側および前記第１０縁辺側のうち他方側に配置され、前記第２内フラップ部および前記第３内フラップ部と重なるように接着される第３面状部材と、
前記第１１縁辺側に配置され、前記第１内フラップ部および前記第４内フラップ部と重なるように接着される第４面状部材と、を備え、
前記第１面状部材および前記第３面状部材は、係合部をそれぞれ有し、
前記第２面状部材および前記第４面状部材は、前記係合部に対応する位置にそれぞれ配置され、前記係合部に対する相補形状をそれぞれ有することを特徴とする包装箱。
【請求項５】
請求項４に記載の包装箱のブランクシートであって、
相互に平行な第１折り曲げ線および第２折り曲げ線と、前記第１折り曲げ線と直交する相互に平行な第３折り曲げ線および第４折り曲げ線と、を有する矩形の第１面部と、
前記第１折り曲げ線と直交する相互に平行な第５折り曲げ線および第６折り曲げ線を有し、前記第１面部に第１折り曲げ線を介して接続される第２面部と、
前記第２折り曲げ線と平行な第７折り曲げ線と、前記第２折り曲げ線と直交する相互に平行な第８折り曲げ線および第９折り曲げ線と、を有し、前記第１面部に第２折り曲げ線を介して接続される矩形の第３面部と、
前記第７折り曲げ線と直交する相互に平行な第１０折り曲げ線および第１１折り曲げ線を有し、前記第３面部に第７折り曲げ線を介して接続される第４面部と、
前記第２面部に前記第５折り曲げ線を介して接続される第１内フラップ部と、
前記第２面部に前記第６折り曲げ線を介して接続される第２内フラップ部と、
前記第３面部に前記第８折り曲げ線を介して接続される第３内フラップ部と、
前記第３面部に前記第９折り曲げ線を介して接続される第４内フラップ部と、
前記第１面部に前記第３折り曲げ線を介して接続される第１外フラップ部と、
前記第１面部に前記第４折り曲げ線を介して接続される第２外フラップ部と、
前記第４面部に前記第１０折り曲げ線を介して接続される第３外フラップ部と、
前記第４面部に前記第１１折り曲げ線を介して接続される第４外フラップ部と、を備え、
前記第１外フラップ部および前記第３外フラップ部は、係合部をそれぞれ有し、
前記第２外フラップ部および前記第４外フラップ部は、前記包装箱の組み立て状態において前記係合部に対応する位置にそれぞれ配置可能であり、前記係合部に対する相補形状をそれぞれ有することを特徴とするブランクシート。
【請求項６】
請求項１から請求項４のいずれか一項に記載の包装箱により物品が収容されていることを特徴とする包装体。
【請求項７】
前記物品は、２リットルの液体が充填された容器であり、
前記容器が３本収容されていることを特徴とする請求項６に記載の包装体。
【発明の詳細な説明】
【技術分野】
【０００１】
本発明は、安定して積み上げることが可能な包装箱、該包装箱のブランクシート、および包装体に関する。
【背景技術】
【０００２】
従来、物品を段ボール箱等の包装箱（以下、単に包装箱ともいう）に収容した状態で倉庫等に保管する場合、当該包装箱を並べたり積み上げたりして行われるが、包装箱を積み上げていくと荷崩れが発生しやすくなる。この荷崩れを抑止するため、例えば、特許文献１には、包装箱を構成するシートの一部を延出させて形成した突起を包装箱の天面側に設け、その突起に嵌合可能な切り欠きを底面側に設けることについて開示されている。
【先行技術文献】
【特許文献】
【０００３】
【特許文献１】特開２０１３−１５４８９１号公報
【発明の概要】
【発明が解決しようとする課題】
【０００４】
しかし、特許文献１に記載の包装箱を積み上げたとしても、荷崩れ防止という効果を有効に発揮しない場合がある。これは、当該包装箱が段ボール等の紙製であった場合、当該突起の剛性が低いため変形しやすく、突起と切り欠きが充分に嵌合しないおそれがあるからである。
【０００５】
本発明の目的は、安定して積み上げることを可能にする包装箱、該包装箱のブランクシート、および包装体を提供することにある。
【課題を解決するための手段】
【０００６】
本発明による包装箱は、略直方体の形状を呈し、それぞれ対向する三対の面部を有する包装箱であって、係合部を有する第１面状部材、および係合部に対する相補形状を有する第２面状部材、のいずれかを備え、第１面状部材が三対の面部のうち一対の面部の一方と重なり合うように接着される場合、第２面状部材は、相補形状が係合部に対応する位置に形成されるように、包装箱と連結可能な他の包装箱が有する一対の面部の一方と重なるように接着されており、第２面状部材が三対の面部のうち一対の面部の一方と重なるように接着される場合、第１面状部材は、係合部が相補形状の形成部分に対応する位置に配置されるように、他の包装箱が有する一対の面部の一方と重なるように接着されていることを特徴とするものである。
【０００７】
また、本発明による包装箱は、略直方体の形状を呈し、それぞれ対向する三対の面部を有する包装箱であって、係合部を有する第１面状部材と、係合部に対する相補形状を有する第２面状部材と、を備え、第１面状部材は、三対の面部のうち一対の面部の一方と重なるように接着され、第２面状部材は、相補形状が係合部に対応する位置に形成されるように、一対の面部の一方と重なるように接着されることを特徴とするものである。
【０００８】
さらに、本発明による包装箱は、略直方体の形状を呈し、それぞれ対向する三対の面部を有する包装箱であって、第１面状部材、第２面状部材、第３面状部材、および第４面状部材を備え、第１面状部材は、係合部を有し、三対の面部のうち一対の面部の一方と重なるように接着され、第２面状部材は、係合部に対する相補形状を有し、一対の面部の他方と重なるように接着され、第３面状部材は、係合部を有し、第３面状部材の係合部が相補形状の形成部分に対応する位置に配置されるように、一対の面部の他方と重なるように接着され、第４面状部材は、係合部に対する相補形状を有し、第４面状部材が有する相補形状が係合部に対応する位置に形成されるように、一対の面部の一方と重なるように接着されることを特徴とするものである。
【０００９】
加えて、本発明による包装箱は、相互に平行な第１縁辺および第２縁辺と、第１縁辺と直交する相互に平行な第３縁辺および第４縁辺と、を有する矩形の第１面部と、第１縁辺と直交する相互に平行な第５縁辺および第６縁辺を有し、第１縁辺から延びて直角に折れ曲がる矩形の第２面部と、第２縁辺と平行な第７縁辺と、第２縁辺と直交する相互に平行な第８縁辺および第９縁辺と、を有し、第２縁辺から延び、直角に折れ曲がって第２面部と対向する矩形の第３面部と、第７縁辺と直交する相互に平行な第１０縁辺および第１１縁辺を有し、第７縁辺から延び、直角に折れ曲がって第１面部と対向する矩形の第４面部と、第５縁辺から延びて直角に折れ曲がる第１内フラップ部と、第６縁辺から延び、直角に折れ曲がって第１内フラップ部と対向する第２内フラップ部と、第８縁辺から延びて直角に折れ曲がる第３内フラップ部と、第９縁辺から延び、直角に折れ曲がって第３内フラップ部と対向する第４内フラップ部と、第３縁辺側に配置され、第１内フラップ部および第４内フラップ部と重なるように接着される第１面状部材と、第４縁辺側および第１０縁辺側のうち一方側に配置され、第２内フラップ部および第３内フラップ部と重なるように接着される第２面状部材と、第４縁辺側および第１０縁辺側のうち他方側に配置され、第２内フラップ部および第３内フラップ部と重なるように接着される第３面状部材と、第１１縁辺側に配置され、第１内フラップ部および第４内フラップ部と重なるように接着される第４面状部材と、を備え、第１面状部材および第３面状部材は、係合部をそれぞれ有し、第２面状部材および第４面状部材は、係合部に対応する位置にそれぞれ配置され、係合部に対する相補形状をそれぞれ有することを特徴とするものである。
【００１０】
本発明によるブランクシートは、本発明による包装箱のブランクシートであって、相互に平行な第１折り曲げ線および第２折り曲げ線と、第１折り曲げ線と直交する相互に平行な第３折り曲げ線および第４折り曲げ線と、を有する矩形の第１面部と、第１折り曲げ線と直交する相互に平行な第５折り曲げ線および第６折り曲げ線を有し、第１面部に第１折り曲げ線を介して接続される第２面部と、第２折り曲げ線と平行な第７折り曲げ線と、第２折り曲げ線と直交する相互に平行な第８折り曲げ線および第９折り曲げ線と、を有し、第１面部に第２折り曲げ線を介して接続される矩形の第３面部と、第７折り曲げ線と直交する相互に平行な第１０折り曲げ線および第１１折り曲げ線を有し、第３面部に第７折り曲げ線を介して接続される第４面部と、第２面部に第５折り曲げ線を介して接続される第１内フラップ部と、第２面部に第６折り曲げ線を介して接続される第２内フラップ部と、第３面部に第８折り曲げ線を介して接続される第３内フラップ部と、第３面部に第９折り曲げ線を介して接続される第４内フラップ部と、第１面部に第３折り曲げ線を介して接続される第１外フラップ部と、第１面部に第４折り曲げ線を介して接続される第２外フラップ部と、第４面部に第１０折り曲げ線を介して接続される第３外フラップ部と、第４面部に第１１折り曲げ線を介して接続される第４外フラップ部と、を備え、第１外フラップ部および第３外フラップ部は、係合部をそれぞれ有し、第２外フラップ部および第４外フラップ部は、包装箱の組み立て状態において係合部に対応する位置にそれぞれ配置可能であり、係合部に対する相補形状をそれぞれ有することを特徴とするものである。
【００１１】
本発明による包装体は、本発明による包装箱によって物品を収容したことを特徴とするものである。
【発明の効果】
【００１２】
本発明によれば、複数の包装箱を積み上げる際に接触する面部分が相互に嵌合するため、荷崩れを有効に抑止することが可能となる。
【図面の簡単な説明】
【００１３】
【図１】本発明の第１実施形態に係る、開封前の包装箱および包装体の斜視図である。
【図２】本発明の第１実施形態に係る包装箱を展開したブランクシートの平面図である。
【図３】本発明の第１実施形態に係る、２つの包装箱および包装体を高さ方向に積み上げる様子を説明するための図である。
【図４】本発明の第１実施形態に係る、２つの包装箱および包装体を連結する様子を説明するための図であり、（ａ）は嵌合前の外フラップ部付近の拡大図、（ｂ）は嵌合後の外フラップ部付近の拡大図である。
【図５】本発明の第２実施形態に係る、開封前の包装箱および包装体の斜視図である。
【発明を実施するための形態】
【００１４】
以下、図面を参照しながら本発明を実施するための形態を詳細に説明する。但し、本発明は本形態の態様に限定されるものではない。
【００１５】
なお、本明細書および特許請求の範囲の記載において、「高さ方向」とは包装箱の内フラップ部の表面に直交する方向、「幅方向」とは包装箱の内フラップ部が折れ曲がるための縁辺と平行な方向、「長さ方向」とは包装箱の外フラップ部が折れ曲がるための縁辺と平行な方向、をそれぞれ指すものとして参照される。「高さ方向」、「幅方向」、および「長さ方向」はそれぞれ直交するものとする。
【００１６】
また、本明細書および特許請求の範囲の記載において、「矩形」とは、長方形のほか正方形を含むものであり、「略直方体」とは、直方体のほか立方体も含むものである。
【００１７】
さらに、本明細書および特許請求の範囲の記載において、「包装体」とは、物品が収容された状態の包装箱、特に包装箱に物品が収容されることで製造された後であって且つ開封前のものをいう。
【００１８】
本発明の実施形態に係る包装箱は、複数の包装箱を積み上げたときに相互に接触する２つの面側のうち一方に係合部を設け、他方に係合部に対する相補形状を有する外フラップ部を配置することにより、その接触する部分が嵌合する結果、複数の包装箱を安定して積み上げることが可能となるものである。
【００１９】
＜第１実施形態＞  
＜構造＞  
図１に本発明の第１実施形態に係る、開封前の包装箱１０および包装体１の斜視図を示し、図２に本実施形態に係る包装箱１０を展開したブランクシート１０Ｂの平面図を示す。本実施形態に係る包装体１は、包装箱１０に、物品（本実施形態では、２リットルの液体が充填された容器１００を３本）を収容して構成される。図１、および、後述する図３、図４では、説明の便宜上、容器１００を二点鎖線でそれぞれ表す。本実施形態では、容器１００は、図１に示すように、容器１００の上部を後述する第４面部１４側へ向けた状態で、高さ方向において３本配列されている。なお、本実施形態では、容器１００は、ペットボトルであるが、本発明ではこの限りではなく、包装箱１０が安定して積み上げできるならば、どのような材質で構成されても良い。また、本発明では、容器１００の形状は図１に示すような形状に限られるものではない。
【００２０】
本実施形態に係る包装箱１０は、略直方体の形状を呈し、それぞれ対向する三対の面部を有するものである。具体的には、包装箱１０は、図１に示すように、いわゆるラップアラウンドケースで構成されており、第１面部１１から第４面部１４の４つの矩形の面部、第１内フラップ部２２１から第４内フラップ部２３２の４つの内フラップ部、および第１外フラップ部３１１から第４外フラップ部３４２の４つの外フラップ部、を備えて構成される。本実施形態では、第４面部１４を包装箱１０の天面部、第１面部１１を包装箱１０の底面部とする。また、本実施形態では、第１内フラップ部２２１と第４内フラップ部２３２によって、包装箱１０が有する三対の面部のうち一対の面部の一方を形成しており、第２内フラップ部２２２と第３内フラップ部２３１によって、包装箱１０が有する三対の面部のうち一対の面部の他方を形成している。
【００２１】
第１面部１１は、相互に平行な第１縁辺Ｌ１および第２縁辺Ｌ２と、第１縁辺Ｌ１と直交する相互に平行な第３縁辺Ｌ３および第４縁辺Ｌ４と、を有する。
【００２２】
第２面部１２（第１幅面部）は、第１縁辺Ｌ１と直交する相互に平行な第５縁辺Ｌ５および第６縁辺Ｌ６を有し、第１縁辺Ｌ１から延びて直角に折れ曲がっている。本実施形態に係る包装箱１０は、図１に示すように、第１幅面部１２を下にして（例えば、床に）置かれた状態になっている。
【００２３】
第３面部１３（第２幅面部）は、第２縁辺Ｌ２と平行な第７縁辺Ｌ７と、第２縁辺Ｌ２と直交する相互に平行な第８縁辺Ｌ８および第９縁辺Ｌ９と、を有しており、第２縁辺Ｌ２から延び、直角に折れ曲がって第２面部１２と対向している。本実施形態では、第７縁辺Ｌ７は、破断可能な切れ込み線を有する。当該切れ込み線は、例えば、ミシン目で構成されたものや、図１および図２に示すように、「Ｙ」の字形のもので構成されうる。
【００２４】
第４面部１４は、第７縁辺Ｌ７と直交する相互に平行な第１０縁辺Ｌ１０および第１１縁辺Ｌ１１を有し、第７縁辺Ｌ７から延び、直角に折れ曲がって第１面部１１と対向している。第４面部１４は、包装箱１０に開口を形成させやすくするための易貫通部１４Ｐを有する。易貫通部１４Ｐは、例えば、ユーザの指によって破断されて貫通が可能となるように切れ込み線によって形成される。
【００２５】
第１内フラップ部２２１は、第２面部１２の第５縁辺Ｌ５から延びて直角に折れ曲がり、第２内フラップ部２２２は、第２面部１２の第６縁辺Ｌ６から延び、直角に折れ曲がって第１内フラップ部２２１と対向している。また、第３内フラップ部２３１は、第３面部１３の第８縁辺Ｌ８から延びて直角に折れ曲がり、第４内フラップ部２３２は、第３面部１３の第９縁辺Ｌ９から延び、直角に折れ曲がって第３内フラップ部２３１と対向している。
【００２６】
第１外フラップ部３１１は、第１面部１１の第３縁辺Ｌ３から延びて直角に折れ曲がっており、第２外フラップ部３１２は、第１面部１１の第４縁辺Ｌ４から延び、直角に折れ曲がって第１外フラップ部３１１と対向している。また、第３外フラップ部３４１は、第４面部１４の第１０縁辺Ｌ１０から延びて直角に折れ曲がっており、第４外フラップ部３４２は、第４面部１４の第１１縁辺Ｌ１１から延び、直角に折れ曲がって第３外フラップ部３４１と対向している。第１外フラップ部３１１と第４外フラップ部３４２は、第１内フラップ部２２１および第４内フラップ部２３２と重なるように接着され、第２外フラップ部３１２と第３外フラップ部３４１は、第２内フラップ部２２２および第３内フラップ部２３１と重なるように接着されている。当該接着は、例えば、ホットメルトによって行われる。
【００２７】
本実施形態に係る包装箱１０では、第１外フラップ部３１１および第３外フラップ部３４１は、係合部をそれぞれ有し、第２外フラップ部３１２および第４外フラップ部３４２は、係合部に対応する位置にそれぞれ配置され、係合部に対する相補形状をそれぞれ有する。本実施形態では、係合部は、略矩形（図１および図２では略長方形）の形状を呈する。一方、係合部に対する相補形状は、外フラップ部の一部がくり抜かれることで形成され、上記矩形の係合部が中に収まって嵌まるように形成されている。そのため、当該相補形状は、係合部より一回り大きいものであることが望ましく、例えば、係合部より１ｍｍ大きいものが採用されうる。なお、本実施形態では、第２外フラップ部３１２が係合部に対する相補形状を有し、第３外フラップ部３４１が係合部を有するが、本発明では、これに限られず、第３外フラップ部３４１が係合部に対する相補形状を有し、第２外フラップ部３１２が係合部を有する態様を許容するものである。また、本実施形態に係る包装箱では、係合部は略矩形となっているが、本発明では、係合部は、これ以外の形状、例えば、三角形、六角形等の多角形や、円形等の曲線から構成される形状であってもよい。この場合、係合部に対する相補形状は、係合部と嵌合可能な形状となるように形成される。
【００２８】
図２に移り、本実施形態におけるブランクシート１０Ｂにおいて、第２面部１２は、第１面部１１に第１縁辺（第１折り曲げ線）Ｌ１を介して接続されており、第３面部１３は、第１面部１１に第２縁辺（第２折り曲げ線）Ｌ２を介して接続されており、第４面部１４は、第３面部１３に第７縁辺（第７折り曲げ線）Ｌ７を介して接続されている。
【００２９】
第１内フラップ部２２１は、第２面部１２に第５縁辺（第５折り曲げ線）Ｌ５を介して接続されており、第２内フラップ部２２２は、第２面部１２に第６縁辺（第６折り曲げ線）Ｌ６を介して接続されている。第３内フラップ部２３１は、第３面部１３に第８縁辺（第８折り曲げ線）Ｌ８を介して接続されており、第４内フラップ部２３２は、第３面部１３に第９縁辺（第９折り曲げ線）Ｌ９を介して接続されている。
【００３０】
第１外フラップ部３１１は、第１面部１１に第３縁辺（第３折り曲げ線）Ｌ３を介して接続されており、第２外フラップ部３１２は、第１面部１１に第４縁辺（第４折り曲げ線）Ｌ４を介して接続されている。また、第３外フラップ部３４１は、第４面部１４に第１０縁辺（第１０折り曲げ線）Ｌ１０を介して接続されており、第４外フラップ部３４２は、第４面部１４に第１１縁辺（第１１折り曲げ線）Ｌ１１を介して接続されている。本実施形態におけるブランクシート１０Ｂにおいて、第１外フラップ部３１１および第３外フラップ部３４１は係合部を有し、第２外フラップ部３１２および第４外フラップ部３４２は、包装箱１０の組み立て状態において係合部に対応する位置にそれぞれ配置可能であり、係合部に対する相補形状をそれぞれ有する。
【００３１】
本実施形態に係るブランクシート１０Ｂは、第２面部１２と第４面部１４とを繋ぐための継ぎ代１５を備える。継ぎ代１５は、第１２縁辺（第１２折り曲げ線）Ｌ１２を介して第２面部１２と接続されている。尚、本発明では、継ぎ代１５は、第２面部１２ではなく、第４面部１４から接続されても良い。
【００３２】
本実施形態におけるブランクシート１０Ｂは、第３折り曲げ線Ｌ３から第６折り曲げ線Ｌ６、および第８折り曲げ線Ｌ８から第１１折り曲げ線Ｌ１１が段ボールの縦罫線（いわゆる、クリーズ）となり、第１折り曲げ線Ｌ１、第２折り曲げ線Ｌ２、第７折り曲げ線Ｌ７、および第１２折り曲げ線Ｌ１２が段ボールの横罫線（いわゆる、スコア）となるように設定されている。尚、罫線の形成方向は、これに限られず、安定して積み上げやすいという本発明の目的を達成しうるものであれば、いずれの方向に形成されても良い。
【００３３】
易貫通部１４Ｐ、第７折り曲げ線Ｌ７、第１０折り曲げ線Ｌ１０、および第１１折り曲げ線Ｌ１１は、切れ込み線となっており、図１および図２、後述する図３、図４において破線で示される。本実施形態に係る包装箱１０では、易貫通部１４Ｐ、第７折り曲げ線Ｌ７、第１０折り曲げ線Ｌ１０、および第１１折り曲げ線Ｌ１１上に形成された切れ込み線を破断することによって、包装箱１０の天面側に開口が形成され、その開口から、収容されていた容器１００を取り出すことが可能となっている（図３を参照）。
【００３４】
本実施形態に係る包装箱１０では、高さ方向における寸法が、長さ方向における寸法より長くなっている。ここで、包装箱１０を、図３に示すように、第２外フラップ部３１２および第３外フラップ３４１を下にして（例えば、床に）置く置き方（以下、縦置きという）にすることは、保管スペースを削減する上で有効なものとなる。
【００３５】
＜嵌合による包装箱の連結＞  
図３に本発明の第１実施形態に係る、２つの包装箱１０および包装体１を高さ方向に積み上げる様子を説明するための図を示す。また、図４に本実施形態に係る、２つの包装箱１０および包装体１を連結する様子を説明するための図を示し、図４（ａ）は嵌合前の外フラップ部付近の拡大図、図４（ｂ）は嵌合後の外フラップ部付近の拡大図である。
【００３６】
ユーザは、例えば、３本の容器１００が収容された包装箱１０を２箱購入し、自分の住居に持ち帰って、床に縦置きにし、図３のように、高さ方向に積み上げる。このとき、ユーザは、図４（ａ）の矢印が表すように、縦置きにした包装箱１０の上にもう一つの包装箱１０を高さ方向に積み上げるとき、第３外フラップ部３４１の係合部（図４中、斜線で示す右部分）を第４外フラップ部３４２の凹んでいる部分に嵌め込み、第２外フラップ部３１２の凹んでいる部分（図４中、斜線で示す左部分）を第１外フラップ部３１１の係合部に嵌め込むように設置する。すると、図４（ｂ）に示すように、相互に嵌合するので、２つの包装箱１０が相互に連結されることになる。この構成によれば、別途接着剤やバンド等を使用することなく、複数の包装箱を連結することが可能となる。また、本実施形態では、収容物である３本の容器１００の重量を含む包装体の重量（例えば約６ｋｇ）が、嵌合部分にかかり、包装箱同士が強く嵌合するようになっている。この嵌合は、幅方向、長さ方向の振動があったとしても外れにくいものである。これは、係合部を構成する包装箱の厚みが、係合部に対する相補形状を有する部分を構成する包装箱の厚みに接触して、係合部の移動を妨げるためである。
【００３７】
本実施形態に係る包装箱１０は、保管スペースの削減に対する要求が高い場合において、特に好適なものである。物品、特に、頻繁に使用される日用品（例えば、飲料水が充填された容器）に関しては、日用品が一定量収容された段ボール製の包装箱を複数購入することが行われている。そして、ユーザは購入した複数の包装箱を持ち帰り、住居内に置くことになるが、製造・販売会社の倉庫のように広い保管スペースを有する住居は多くない。そこで、保管スペースの削減を実現するため、複数の包装箱を並べて置くことよりも、積み上げて置く手法が取られやすい。ここで、例えば、特許文献１に記載の突起および切り欠きを、当該複数の包装箱に適用したとしても、当該包装箱が段ボール等の紙製であった場合、突起の剛性は低いため、突起が変形しやすく、荷崩れ防止という効果を充分に発揮しない場合がある。
【００３８】
本実施形態では、当該包装箱が段ボール等の紙製のものであっても、係合部と相補形状を有する部分とが咬合し、有効に嵌合させることが可能となる。その結果、複数の包装箱が一体となって連結されるように、外フラップ部同士が互いに嵌合するので、安定して積み上げることが可能となり、荷崩れを抑止することが可能となる。また、上述したように、縦置きで積み上げること、つまり、狭い占有面積において積み上げることが可能となるため、保管スペースの削減が可能となる。
【００３９】
また、本実施形態に係る包装箱１０は、同じ内フラップ部に接着された２つの外フラップ部の形状が相互に異なるように設けられ、且つ、対向する２つの外フラップ部の形状が相互に異なるように設けられている。図３を参照すると、第１、第４内フラップ部２２１、２３２には、相互に異なる形状を有する第１、第４外フラップ部３１１、３４２がそれぞれ接着され、第２、第３内フラップ部２２２、２３１には、相互に異なる形状を有する第２、第３外フラップ部３１２、３４１がそれぞれ接着されている。また、対向する第１、第２外フラップ部３１１、３１２は相互に形状が異なり、対向する第３、第４外フラップ部３４１、３４２は相互に形状が異なっている。この構成により、包装箱１０の上下左右を逆転させて積み上げることが可能となっている。すなわち、ユーザの望みに合わせて、包装箱１０の開口を、図３に示す幅方向の２つの向きのうちどちらに向けるかを選択することが可能となっている。
【００４０】
本実施形態に係る包装箱１０に収容される物品は、特に、安定して嵌合できる程度の重量を有するもの、例えば、飲料水等の液体が充填された容器であることが本発明の効果を発揮する上で好ましい。なお、本実施形態に係る包装箱１０に収容される容器１００は、２リットル用であるが、本発明では、これに限られず、どのような容量であっても良く、また、包装箱１０に収容される容器１００の本数も３本に限定されない。本実施形態に係る包装箱１０が、２リットルの液体が充填された容器１００を３本収容しているのは、ユーザの持ち運びに適した重量、大きさである等の理由からである。
【００４１】
本実施形態に係る包装箱１０は、その外形寸法が、高さ方向において約２９５ｍｍ、幅方向において約３１０ｍｍ、長さ方向において約１００ｍｍ、となるように設計されている。この外形寸法は、２リットルの飲料水が充填されたペットボトルが３本収容される場合において、安定して積み上げできるという効果を発揮する上で最適なものの一例である。なお、本発明に係る包装箱の最適な外形寸法は、これに限られず、収容される物品の種類、寸法、重量、数量等によって適宜定められるものである。
【００４２】
＜第２実施形態＞  
本発明の第２実施形態では、第１実施形態と異ならせ、収容された物品（本実施形態では、第１実施形態と同様に、２リットルの液体が充填された容器１００を３本）を高さ方向において取り出し可能にした包装箱１０’について説明する。本実施形態では、第１内フラップ部２２１、第４内フラップ部２３２、第１外フラップ部３１１、第４外フラップ部３４２で構成された面部を包装箱１０’の天面部、第２内フラップ部２２２、第３内フラップ部２３１、第２外フラップ部３１２、第３外フラップ部３４１で構成された面部を包装箱１０’の底面部とする。本実施形態では、容器１００は、図５に示すように、容器１００の上部を天面部側へ向けた状態で、包装箱１０’の幅方向において３本配列されている。
【００４３】
図５に本発明の第２実施形態に係る、開封前の包装箱１０’および包装体１’の斜視図を示す。本実施形態に係る包装箱１０’を構成する各要素のうち、同様の機能を有するものについては、第１実施形態と同一の符号を付してその説明を省略する。
【００４４】
本実施形態に係る包装箱１０’において、天面側の第１内フラップ部２２１および第４内フラップ部２３２は、図５において破線で示すように、半円状の易貫通部２２Ｐおよび易貫通部２３Ｐをそれぞれ有する。また、天面側の第１内フラップ部２２１および第４内フラップ部２３２には、図５において破線で示すように、第１外フラップ部３１１および第４外フラップ部３４２と重なる部分の外周を縁取るように、切れ込み線がそれぞれ形成されている。
【００４５】
この構成により、天面側の第１内フラップ部２２１および第４内フラップ部２３２上に形成された切れ込み線を破断することによって、包装箱１０’の天面側に開口が形成され、その開口から、収容されていた容器１００を取り出すことが可能になる。本実施形態に係る包装箱１０’をどのように連結させるかについては、第１実施形態と同様である。
【００４６】
本実施形態に係る包装箱１０’では、容器１００を取り出す際、幅方向、つまり横から取り出すことが可能な第１実施形態に係る包装箱１０と比較して、高さ方向、つまり上に向かって容器１００を取り出すことが可能となっている。これら第１および第２実施形態に係る包装箱については、手の届きやすさ、取り出しやすさを考慮して選択することができる。
【００４７】
本実施形態によれば、第１実施形態と同様に、複数の包装箱が一体となって連結されるように、外フラップ部同士が互いに嵌合するので、安定して積み上げることが可能となり、荷崩れを抑止することが可能となる。また、狭い占有面積において安定して積み上げることが可能となり、保管スペースの削減が可能となる。
【００４８】
＜その他＞  
本発明は、上述した実施形態や、随所に述べた変形例に限られることなく、本発明の技術的思想から逸脱しない範囲で、適宜の変更や変形が可能である。
【００４９】
例えば、上記各実施形態に係る包装箱には、さらに安定した積み上げを実現するために、嵌合する部分を含む領域に防滑ニス等を塗布してもよい。
【００５０】
加えて、上記各実施形態に係る包装箱の外フラップ部付近には、ユーザが包装箱の連結を行いやすくするために、嵌合を示唆する文字、図形、記号、または、これらを組み合わせたものを印刷してもよい。
【００５１】
さらに、上記実施形態に係る包装箱１０のブランクシート１０Ｂにおいて、第１から第４外フラップ部の形状を変化させることによって、紙取りのよいブランクシートが実現可能である。具体的には、図２に示すブランクシートにおいて、第２外フラップ部３１２および第４外フラップ部３４２の高さ方向の寸法を短くすれば良い。これにより、ブランクシートの製造コストを削減することが可能となる。このとき、外フラップ部同士の嵌合部分の面積や内フラップに対する外フラップの接着面積を考慮して、係合部の形状および係合部に対する相補形状の寸法を調整してもよい。
【００５２】
上記各実施形態に係る包装箱には、継ぎ代が存在しているが設けなくてもいい。これにより、歩留まりを良くすることが可能となる。
【００５３】
上記各実施形態に係る包装箱およびブランクシートの材質は、段ボール製であるが、これに限られず、安定して積み上げできるという効果を発揮できるものであれば、どのような素材を使用してもよく、例えば、プラスチック製のものであってもよい。
【００５４】
上述した第１実施形態では、第４面部１４を天面、第１面部１１を底面、上述した第２実施形態では、第１外フラップ部３１１が形成されている面を天面、第２外フラップ部３１２が形成されている面を底面としている。しかし、本発明はこれに限られず、本発明の効果を享受し得るのなら、どの面を天面、底面としてよい。
【００５５】
上記各実施形態に係る包装箱では、第１外フラップ部３１１および第２外フラップ部３１２が第１面部１１とそれぞれ接続され、第３外フラップ部３４１および第４外フラップ部３４２が第４面部１４とそれぞれ接続されているが、本発明では、これに限られず、接続されずに、それぞれ別体として形成された態様であってもよい。また、上記各実施形態に係る包装箱では、係合部と係合部に対する相補形状がそれぞれ２箇所ずつ形成されているが、本発明では、これに限られないものである。次の（Ａ）から（Ｄ）において、４つの変形例を挙げる。
【００５６】
なお、本明細書および特許請求の範囲の記載において、「面状部材」は、別体に限られず、包装箱の面部に接続される外フラップ部を含むものとして参照される。「面状部材」は、その表裏面のうち一方が包装箱の三対の面部のうち一つの面部と重なるように、接着される。面状部材の当該接着される面は、全面であっても一部の面であっても良い。以下に述べる第１から第４面状部材については、第１面状部分および第３面状部分が係合部をそれぞれ有し、第２面状部分および第４面状部分が係合部に対する相補形状をそれぞれ有する。
【００５７】
（Ａ）一変形例として、本発明に係る包装箱は、係合部を有する第１面状部材、係合部に対する相補形状を有する第２面状部材、のいずれかを備えて構成される。（ａ１）第１面状部材が、包装箱の三対の面部のうち一対の面部の一方と重なるように接着される場合、第２面状部材は、相補形状が係合部に対応する位置に形成されるように、包装箱と連結可能な他の包装箱が有する一対の面部の一方と重なるように接着されている。（ａ２）第２面状部材が、包装箱の三対の面部のうち一対の面部の一方と重なるように接着される場合、第１面状部材は、係合部が相補形状の形成部分に対応する位置に配置されるように、他の包装箱が有する一対の面部の一方と重なるように接着されている。この構成により、包装箱が有する６面部のうち１面部のみに係合部または相補形状が形成されるため、例えば、包装箱を床に設置する際、係合部または相補形状を有しない面を設置面とすることができ、包装箱を置いたときの安定性を確保することが可能となる。また、２つの包装箱のうち、一方の包装箱に形成された係合部と他方の包装箱に形成された相補形状の部分を嵌合させることが可能となるので、安定して積み上げることが可能となる。
【００５８】
（Ｂ）一変形例として、本発明に係る包装箱は、第１面状部材および第２面状部材の２つの部材を備えて構成される。そして、第１面状部材は、包装箱の三対の面部のうち一対の面部の一方と重なるように接着され、第２面状部材は、相補形状が係合部に対応する位置に形成されるように、当該一対の面部の一方と重なるように接着される。この構成により、包装箱が有する６面部のうち１面部のみに係合部および相補形状が形成されるため、変形例（Ａ）と同様に、例えば、包装箱を床に設置する際、係合部および相補形状を有しない面を設置面とすることができ、包装箱を置いたときの安定性を確保することが可能となる。また、２つの包装箱が一体となって連結されるように、面状部材同士が互いに嵌合するので、安定して積み上げることが可能となる。さらに、一種類の包装箱を２つ用意することで本変形例の効果を得ることが可能となるため、二種類の包装箱を１つずつ用意した場合の変形例（Ａ）と比較して、製造コストを低減することが可能となる。また、嵌合部分が１つしかない場合の変形例（Ａ）と比較して、嵌合部分が増えるので、より一体となって連結し、より安定して積み上げることが可能となる。
【００５９】
（Ｃ）一変形例として、本発明に係る包装箱は、第１面状部材、第２面状部材、第３面状部材、および第４面状部材を備えて構成される。そして、第１面状部材は、三対の面部のうち一対の面部の一方と重なるように接着され、第２面状部材は、一対の面部の他方と重なるように接着される。また、第３面状部材は、その係合部が相補形状の形成部分に対応する位置に配置されるように、一対の面部の他方と重なるように接着され、第４面状部材は、それが有する相補形状が係合部に対応する位置に形成されるように、一対の面部の一方と重なるように接着される。この構成により、上記各実施形態と同様に、複数の包装箱が一体となって連結されるように、面状部材同士が互いに嵌合するので、安定して積み上げることが可能となり、荷崩れを抑止することが可能となる。
【００６０】
（Ｄ）一変形例として、本発明に係る包装箱では、第１面状部材は、第１外フラップ部３１１の代わりに別体として第３縁辺Ｌ３側に配置され、第１内フラップ部２２１および第４内フラップ部２３２と重なるように接着され、第２面状部材は、第２外フラップ部３１２の代わりに別体として第４縁辺Ｌ４側および第１０縁辺Ｌ１０側のうち一方側に配置され、第２内フラップ部２２２および第３内フラップ部２３１と重なるように接着される。そして、第３面状部材は、第３外フラップ部３４１の代わりに別体として第４縁辺Ｌ４側および第１０縁辺Ｌ１０側のうち他方側に配置され、第２内フラップ部２２２および第３内フラップ部２３１と重なるように接着され、第４面状部材は、第４外フラップ部３４２の代わりに別体として第１１縁辺Ｌ１１側に配置され、第１内フラップ部２２１および第４内フラップ部２３２と重なるように接着される。この構成により、上記各実施形態と同様の効果を得ることが可能となる。
【符号の説明】
【００６１】
１、１’  包装体
１０、１０’  包装箱
１０Ｂ  ブランクシート
１１  第１面部
１２  第２面部
１３  第３面部
１４  第４面部
１５  継ぎ代
２２１  第１内フラップ部
２２２  第２内フラップ部
２３１  第３内フラップ部
２３２  第４内フラップ部
３１１  第１外フラップ部
３１２  第２外フラップ部
３４１  第３外フラップ部
３４２  第４外フラップ部
１００  容器
Ｌ１  第１縁辺（第１折り曲げ線）
Ｌ２  第２縁辺（第２折り曲げ線）
Ｌ３  第３縁辺（第３折り曲げ線）
Ｌ４  第４縁辺（第４折り曲げ線）
Ｌ５  第５縁辺（第５折り曲げ線）
Ｌ６  第６縁辺（第６折り曲げ線）
Ｌ７  第７縁辺（第７折り曲げ線）
Ｌ８  第８縁辺（第８折り曲げ線）
Ｌ９  第９縁辺（第９折り曲げ線）
Ｌ１０  第１０縁辺（第１０折り曲げ線）
Ｌ１１  第１１縁辺（第１１折り曲げ線）
Ｌ１２  第１２縁辺（第１２折り曲げ線）
【図１】
2018154342.tif 000003
【図２】
2018154342.tif 000004
【図３】
2018154342.tif 000005
【図４】
2018154342.tif 000006
【図５】
2018154342.tif 000007